(57)【要約】    【課題】  電源ケーブルの断線の有無を簡易にかつ確実に検査することができる上、高精度の測定が簡易に可能とする、ケーブル断線チェッカーを提供すること。    【解決手段】  アース端子２が適宜の絶縁材を用いた絶縁手段３を介してアース端子２Ａ、２Ｂに分割された構成の差込接続器用端子構造１０を有するインレット１１と、アウトレットアース端子２２がアウトレットアース端子２２Ａ、２２Ｂに分割された構成の差込接続器用端子構造２１０を有するアウトレット２１１とを備えた構成により、４端子法による抵抗測定の可能なケーブル断線チェッカーとする。【選択図】  図１−２
2016136514.tif 000002
【特許請求の範囲】
【請求項１】
差込接続器に対応する端子構造であって、そのアース端子が複数に分割されていることを特徴とする、差込接続器用端子構造。
【請求項２】
差込接続器に備えられている端子構造であって、そのアース端子が複数に分割されていることを特徴とする、差込接続器用端子構造。
【請求項３】
４端子を備えていることを特徴とする、請求項１または２に記載の差込接続器用端子構造。
【請求項４】
機器用インレット（以下、「インレット」という。）に係るものであることを特徴とする、請求項１ないし３のいずれかに記載の差込接続器用端子構造。
【請求項５】
前記アース端子の先端部は絶縁手段により分割されていることを特徴とする、請求項４に記載の差込接続器用端子構造。
【請求項６】
コンセント（以下、「アウトレット」という。）に係るものであることを特徴とする、請求項１ないし３のいずれかに記載の差込接続器用端子構造。
【請求項７】
請求項１ないし６のいずれかに記載の差込接続器用端子構造を備えていることを特徴とする、差込接続器。
【請求項８】
アース端子が複数に分割されている差込接続器用端子構造として、インレット形態のものとアウトレット形態のものとを少なくとも一対備えていることを特徴とする、抵抗測定システム。
【請求項９】
４端子測定法による測定が可能であることを特徴とする、請求項８に記載の抵抗測定システム。
【請求項１０】
請求項８または９に記載の抵抗測定システムを用いた、ケーブル断線チェッカー。
【請求項１１】
医療機器、診断用機器、検査用機器、監視用機器、または手術用機器のケーブルの断線有無試験用であることを特徴とする、請求項１０に記載のケーブル断線チェッカー。
【請求項１２】
請求項８または９に記載の抵抗測定システムを用いた、４端子測定法による抵抗測定方法。
【請求項１３】
用いることによって０．１Ω以下の抵抗測定容易であることを特徴とする、請求項１ないし６のいずれかに記載の差込接続器用端子構造。
【請求項１４】
用いることによって感電防止性能を高められることを特徴とする、または、感電防止性能の確認を確実なものとすることのできる、請求項１ないし６または１３のいずれかに記載の差込接続器用端子構造。
【発明の詳細な説明】
【技術分野】
【０００１】
本発明は、差込接続器用端子構造、差込接続器、抵抗測定システム、ケーブル断線チェッカー、および抵抗測定方法に係り、特に、医療機器など確実な電源供給の必要性の高い機器において、高精度の抵抗測定を行うことのできる、差込接続器用端子構造等に関するものである。
【背景技術】
【０００２】
総合病院等の医療現場においては、医療機器、診断用機器、検査用機器など種々の電気機器が用いられる。これらの機器を安全に供用するために、電源ケーブルが断線していないかどうかを確認することは重要な業務である。しかし、かかる業務を、機器を主として取扱う看護師等が行うことは決して容易ではないため、電気分野に詳しい専門の技術者がこの作業を行うことが通常である。
【０００３】
電源ケーブル等の検査技術に関しては、従来から技術的提案もなされている。たとえば後掲特許文献１には、小型軽量で持ち運び性が優れ、配線検査を容易に行えるケーブル配線検査装置として、検査対象ケーブル単体の端子またはコネクタ付きケーブルアセンブリーのコネクタを電気的に接続する本体コネクタと、これに電気的に接続してケーブル単体等の導体断線の有無等を検査するためのチェッカー本体とからなる装置であって、チェッカー本体は電流が一方向しか流れないダイオードと、正常時には点灯、異常時には消灯する信号ＬＥＤと、検査目的に応じた切り替えスイッチとを備えた電気回路を有する構成が開示されている。
【０００４】
電源ケーブル等の検査は、施設の規模が大きくなればなるほど当該作業の負担が大きくなる。実際に機器を使用する看護師等の各自がこの作業を行うことができればよいが、そのためには、簡易な操作によって確実に検査作業を行えることが必要である。しかし、上記文献開示技術を含め、従来技術ではこの問題が有効に解決できていない。また、かかる問題は、決して医療分野のみに限定されるものではなく、確実な電源供給の必要性の高い機器を用いるあらゆる分野において、共通する問題である。
【０００５】
このような状況を解決するために本願出願人は、電源ケーブルの断線の有無を簡易にかつ確実に検査することのできるケーブル断線チェッカーとして、電源部と、ケーブルの各端子（被検端子）用の各テスト端子と、断線有無を表示する表示部とを備えたチェッカー本体を備えて構成され、テスト端子は被検端子に対応したコンセント型とする構成のケーブル断線チェッカー発明を完成し、既に出願した（後掲特許文献２）。
【先行技術文献】
【特許文献】
【０００６】
【特許文献１】特開２００３−３１５４０１号公報「ケーブル配線検査装置」
【特許文献２】特開２０１５−２３２５２７号公報「ケーブル断線チェッカー」
【発明の概要】
【発明が解決しようとする課題】
【０００７】
さて、出願人による上記ケーブル断線チェッカー発明によれば、医療機器、診断用機器、検査用機器といった医療分野はいうに及ばず、確実な電源供給の必要性の高い機器を使用する全分野において、電源ケーブルの断線の有無を簡易に、かつ確実に検査することができ、電気分野の専門家たる技術者でなくても容易に使用できる。この発明に基づき出願人は、２端子法による抵抗値測定方式でのケーブル断線チェッカーを開発し、本発明の実用性の高さを実証した。しかし、測定精度をさらに高いものとすることができれば、さらに製品の価値を高め、また適用分野を広げることができる。加えてこの方向性を、ケーブル断線検査のみならず、一般的な抵抗測定の高精度化および簡易化に結びつけられれば、なおよい。
【０００８】
図８は、２端子法による抵抗値測定方法を示す回路図である。また、
図９は上記既発明のケーブル断線チェッカーとその使用方法を示す説明図であり、図１０、１１はそれぞれ、図９に係るケーブル断線チェッカーを構成する機器用インレット（ｉｎｌｅｔ  ｐｌｕｇ  以下、単に「インレット」）とコンセント（ｒｅｃｅｐｔａｃｌｅ  以下、単に「アウトレット」）の端子構造を示す説明図である。これらに示すように、２端子法による抵抗値測定方法を用いる既発明のケーブル断線チェッカー５００では、図１０および１１に示すようなインレット８１１およびアウトレット９１１を使用している。インレット８１１は、インレットアース端子８２、インレット端子８４およびインレット端子８５、計３本の端子から構成されている。一方、アウトレット９１１は、アウトレットアース端子９２、アウトレット端子９４およびアウトレット端子９５、計３本の端子から構成されている。
【０００９】
本ケーブル断線チェッカー５００では、試験したいケーブル２００の差込プラグ（ｐｌｕｇ  以下、単に「プラグ」）６２０、コードコネクタボディ（ｃｏｒｄ  ｃｏｎｎｅｃｔｏｒ  以下、単に「コネクタ」）７２０を、チェッカー５００のアウトレット９１１、インレット８１１にそれぞれ差込むだけで、２端子法による抵抗値測定を行うことができ、それによってケーブル２００の断線有無を検査することができる。しかし２端子法では、測定したい抵抗値ＲＸの他に、リード線との接触抵抗ｒ１等やリード線の抵抗Ｒ１等を含んだ測定値となってしまうことを避けられず、測定したい抵抗値ＲＸのみを測定することができなかった。
【００１０】
ケーブル断線チェカーを、アース端子の抵抗値が０．１Ω以下であることを精緻検査できる仕様とすることによって、より精度の高い測定が可能である。０．１Ωの精緻測定を行うためには接触抵抗を排除する必要があり、そのためには、図１２に回路図を示すような４端子測定法（以下、単に「４端子法」）の方式を用いることが必須である。これにより、接触抵抗ｒ１等に基づく測定誤差を、無視し得るほど小さくできるからである。しかし、従来の４端子法のようにプラグ端子にテスターのプローブをあてて測定する方式では、当該ケーブル断線チェッカーの特長である簡便性や取扱い易さを損なってしまう。
【００１１】
そこで、本発明が解決しようとする課題は、電源ケーブルの断線の有無を簡易に、かつ確実に検査することができる上、４端子法による高精度の測定を簡易に可能とする、ケーブル断線チェッカーを提供することである。加えて本発明が解決しようとする課題は、電気機器等における抵抗測定を、４端子法により高精度かつ簡易に行うことのできる、抵抗測定方法、抵抗測定システム等を提供することである。
【課題を解決するための手段】
【００１２】
本願発明者は上記課題について鋭意検討した結果、ケーブル等の被検端子に対応する抵抗測定システム等の端子構造において、アース端子を複数に分割されている構造とすることによって４端子測定法による抵抗測定を可能とし、これによって課題解決できることを見出した。さらに、ＪＩＳ  Ｔ  ０６０１−１（医用電気機器−安全に関する一般的要求事項）で定める医用接地線の抵抗０．１Ω以下を簡単に測定でき、感電防止などの医療現場の安全を確保できることも確認し、これを基準として本発明を完成するに至った。すなわち、上記課題を解決するための手段として本願で特許請求される発明、もしくは少なくとも開示される発明は、以下の通りである。
【００１３】
〔１〕  差込接続器に対応する端子構造であって、そのアース端子が複数に分割されていることを特徴とする、差込接続器用端子構造。
〔２〕  差込接続器に備えられている端子構造であって、そのアース端子が複数に分割されていることを特徴とする、差込接続器用端子構造。
〔３〕  ４端子を備えていることを特徴とする、〔１〕または〔２〕に記載の差込接続器用端子構造。
〔４〕  機器用インレット（以下、「インレット」という。）に係るものであることを特徴とする、〔１〕ないし〔３〕のいずれかに記載の差込接続器用端子構造。
【００１４】
〔５〕  前記アース端子の先端部は絶縁手段により分割されていることを特徴とする、〔４〕に記載の差込接続器用端子構造。
〔６〕  コンセント（以下、「アウトレット」という。）に係るものであることを特徴とする、〔１〕ないし〔３〕のいずれかに記載の差込接続器用端子構造。
〔７〕  〔１〕ないし〔６〕のいずれかに記載の差込接続器用端子構造を備えていることを特徴とする、差込接続器。
〔８〕  アース端子が複数に分割されている差込接続器用端子構造として、インレット形態のものとアウトレット形態のものとを少なくとも一対備えていることを特徴とする、抵抗測定システム。
【００１５】
〔９〕  ４端子測定法による測定が可能であることを特徴とする、〔８〕に記載の抵抗測定システム。
〔１０〕  〔８〕または〔９〕に記載の抵抗測定システムを用いた、ケーブル断線チェッカー。
〔１１〕  医療機器、診断用機器、検査用機器、監視用機器、または手術用機器のケーブルの断線有無試験用であることを特徴とする、〔１０〕に記載のケーブル断線チェッカー。
〔１２〕  〔８〕または〔９〕に記載の抵抗測定システムを用いた、４端子測定法による抵抗測定方法。
〔１３〕  用いることによって０．１Ω以下の抵抗測定容易であることを特徴とする、〔１〕ないし〔６〕のいずれかに記載の差込接続器用端子構造。
〔１４〕  用いることによって感電防止性能を高められることを特徴とする、または、感電防止性能の確認を確実なものとすることのできる、〔１〕ないし〔６〕または〔１３〕のいずれかに記載の差込接続器用端子構造。
【発明の効果】
【００１６】
本発明の差込接続器用端子構造、差込接続器、抵抗測定システム、ケーブル断線チェッカー、および抵抗測定方法は上述のように構成されるため、これらによれば、医療機器、診断用機器、検査用機器、監視用機器、または手術用機器といった医療分野はいうに及ばず、確実な電源供給の必要性の高い機器において、４端子法による高精度の抵抗測定を簡単な操作によって行うことができる。つまり、正確な抵抗値測定を容易に行うことができる。また本発明は、４端子法による抵抗値測定を、従来のようなプローブ具備のテスターを用いることなく、より簡便なプラグ等の差込みだけで行うことができ、実用性が高い。しかも本発明によれば、感電に対する安全を確保することもできる。つまり、単に精度を高めただけではなく、ＪＩＳ  Ｔ  ０６０１−１（医用電気機器−安全に関する一般的要求事項）で定める、医用接地線の抵抗０．１Ω以下を簡単に測定でき、感電防止などの医療現場の安全を有効に確保することができる。
【００１７】
また、本発明によれば、出願人による既発明のケーブル断線チェッカーにおける高精度の機種として「１本型携帯型ケーブル断線チェッカー」を実現することができる。なお「１本型」とは、コード１本ずつを点検する機器という意味であり、口は、インレット１、アウトレット１の計２口を備える。従来のようにプラグ端子にテスターのプローブをあてるのではなく、あくまでもプラグ等の差込み操作のみによって、プラグ等を差込んだ状態で４端子法による抵抗値測定を容易に行うことができ、アース端子の抵抗値が０．１Ω以下であるか否かまで、手軽に精緻検査することができる。
【００１８】
本発明のケーブル断線チェッカーを用いれば、たとえば総合病院等の医療現場においては、正確さを要求される膨大な量のケーブル検査作業の全てを、限られた人数の電気分野専門家たる技術者が行う必要がなくなり、当該作業の負担を大きく軽減することができる。そして、簡易な操作によって、短時間で、確実にケーブル断線の有無を高精度に確認する検査作業を行えるため、実際に機器を使用する看護師等の各自においても、容易にこの作業を行うことができる。
【図面の簡単な説明】
【００１９】
【図１】本発明の差込接続器用端子構造を有するインレットの基本的構成を示す斜視図である。
【図１−２】図１に示すインレットの端子構造を示す斜視図である。
【図２】図１に示すインレットにおける接続方法を示す説明図である。
【図３】本発明の差込接続器用端子構造を有するアウトレットの基本的構成を示す斜視図である。
【図４】図３に示すアウトレットにおける接続方法を示す説明図である。
【図５】本発明差込接続器の実施例（インレット）を示す写真図である。
【図６】本発明差込接続器の実施例（アウトレット）を示す写真図である。
【図７】本発明抵抗測定システムの構成を示す概念図である。
【図８】２端子法による抵抗値測定方法を示す回路図である。
【図９】既発明のケーブル断線チェッカーとその使用方法を示す説明図である。
【図１０】図９に係るケーブル断線チェッカーを構成する機器用インレット（インレット）の端子構造を示す説明図である。
【図１１】図９に係るケーブル断線チェッカーを構成するコンセント（アウトレット）の端子構造を示す説明図である。
【図１２】４端子法による抵抗値測定方法を示す回路図である。
【発明を実施するための形態】
【００２０】
以下、本発明をより詳細に説明する。なお、ＪＩＳ（ＪＩＳ  Ｃ  ８３０３）ならびにＩＥＣ６０３２０−１において規定されている用語を、本願では下記のように換えて用いることとする。
「機器用インレット」（ｉｎｌｅｔ  ｐｌｕｇ）：機器用カプラーの一部分  ―＞  「インレット」
「コンセント」（ｒｅｃｅｐｔａｃｌｅ）：（固定された）プラグ受  ―＞  「アウトレット」
「差し込みプラグ」（ｐｌｕｇ）：電源コードの端部の刃が出た部分  ―＞  「プラグ」
「コードコネクタボディ」（ｃｏｒｄ  ｃｏｎｎｅｃｔｏｒ）：電源コードのプラグと反対側の刃受  ―＞  「コネクタ」
【００２１】
図１は、本発明の差込接続器用端子構造を有するインレットの基本的構成を示す斜視図である。また、図１−２は図１に示すインレットの端子構造を示す斜視図、図２は図１に示すインレットにおける接続方法を示す説明図である。これらに示すように本差込接続器用端子構造１０は、コネクタ等の差込接続器２０に対応するものであって、インレット端子４、５は通常と同様であるが、アース端子２が複数に分割されていることを、主たる構成とする。具体的には、適宜の絶縁材を用いた絶縁手段３を介して、アース端子２がアース端子Ａ（２Ａ）とアース端子Ｂ（２Ｂ）とに分割された構成である。
【００２２】
すなわち本発明の差込接続器用端子構造１０においては、インレット端子４、インレット端子５、アース端子Ａ（２Ａ）およびアース端子Ｂ（２Ｂ）の計４個の端子、つまり４端子が備えられており、かかる構成に基づいて、４端子法による抵抗値測定を実現することができる。したがって、図２に示すようにコネクタ等の差込接続器２０（図の例では、３Ｐメスプラグ）を本インレット１１に差込むことによって、当該差込接続器２０の備えられた電気機器やケーブルにおける抵抗の抵抗値を４端子法にて測定するための準備が、一つ整えられることになる。
【００２３】
図３は、本発明の差込接続器用端子構造を有するアウトレットの基本的構成を示す斜視図である。また、図４は図３に示すアウトレットにおける接続方法を示す説明図である。これらに示すように本差込接続器用端子構造２１０は、プラグ等の差込接続器２２０に対応するものであって、アウトレット端子２４、２５は通常と同様であるが、アウトレットアース端子２２が複数に分割されていることを、主たる構成とする。具体的には、アウトレットアース端子２２がアウトレットアース端子Ａ（２２Ａ）とアウトレットアース端子Ｂ（２２Ｂ）とに分割された構成である。
【００２４】
すなわち本発明の差込接続器用端子構造２１０においては、アウトレット端子２４、アウトレット端子２５、アウトレットアース端子Ａ（２２Ａ）およびアウトレットアース端子Ｂ（２２Ｂ）の計４個の端子、つまり４端子が備えられており、かかる構成に基づいて、４端子法による抵抗値測定を実現することができる。したがって、図４に示すようにプラグ等の差込接続器２２０（図の例では、３Ｐオスプラグ）を本アウトレット２１１に差込むことによって、当該差込接続器用端子構造２２０の備えられた電気機器やケーブルにおける抵抗の抵抗値を４端子法にて測定するための準備が、一つ整えられたことになる。
【００２５】
図５、６は、本発明差込接続器の実施例としてそれぞれインレット、アウトレットの例を示す写真図である。すなわち、上述した差込接続器用端子構造を備えた差込接続器自体もまた、本発明の範囲内である。なお、図５の（ａ）はインレットを斜め上方から、（ｂ）は側面から見たものである。また、図６の（ｃ）が本発明に係るアウトレットの内部構造（端子構造）であり、（ｄ）は従来のアウトレットに係るものである。これらに示すように、本発明の差込接続器は、インレット３１１もアウトレット４１１も極めて簡単な端子構造である。そして、この両者を用いて、４端子法による抵抗値測定を可能とするシステムを構成することができる。
【００２６】
図７は、本発明抵抗測定システムの構成を示す概念図である。図示するように本抵抗測定システム１００は、少なくとも一対のインレット１１０Ｐならびにアウトレット１１０Ｒ、およびこの両者に接続する抵抗測定機能部１５０とを備えて構成され、インレット１１０Ｐとアウトレット１１０Ｒはともに、上述したようにアース端子が複数に分割されている差込接続器用端子構造を備えた構成である。
【００２７】
かかる構成により、測定対象物１８０の端子１９０Ｑ、１９０Ｓが本システム１００のインレット１１０Ｐ、アウトレット１１０Ｒに差込まれるだけで、測定対象物１８０の４端子法による抵抗値測定を行うことができる。なお、インレット１１０Ｐならびにアウトレット１１０Ｒは二以上を設けることとしてもよい。この場合には、複数の測定対象物について同時に抵抗値測定可能なシステムとすることが可能である。また、上記抵抗値測定システム１００を用いた４端子測定法による抵抗測定方法自体も、本発明の範囲内である。
【００２８】
上記抵抗測定システムを用いて、高精度測定の可能なケーブル断線チェッカーを構成することができる。再度、前掲図１、１−２および３を用いてこれを説明する。すなわち、アース端子２が適宜の絶縁材を用いた絶縁手段３を介してアース端子２Ａ、２Ｂとに分割された構成の差込接続器用端子構造１０を有するインレット１１と、アウトレットアース端子２２がアウトレットアース端子２２Ａ、２２Ｂとに分割された構成の差込接続器用端子構造２１０を有するアウトレット２１１とを備えることにより、４端子法による抵抗測定の可能なケーブル断線チェッカーを構成することができる。
【００２９】
かかるケーブル断線チェッカーは、既発明に係る前掲図９に示したのと同様の使用方法により、ケーブル断線の有無を正確に判定することができる。なお、本発明のケーブル断線チェッカーや抵抗測定システムは、その用途を限定されないが、たとえば、医療機器、診断用機器、検査用機器、監視用機器、または手術用機器のケーブルの断線有無試験用として、好適に用いることができる。
【００３０】
以上説明した本発明の差込接続器用端子構造は、これを差込接続器、抵抗測定システム、ケーブル断線チェッカー、または抵抗測定方法に用いることによって、簡単に０．１Ω以下の抵抗測定を行うことができる上、感電防止性能を高めることができる。つまり、本発明によれば、単に精度を高めるだけではなく、ＪＩＳ  Ｔ  ０６０１−１（医用電気機器−安全に関する一般的要求事項）で定める医用接地線の抵抗０．１Ω以下を簡単に測定することができ、感電に対する安全を高度に確保することができる。したがって、感電防止などの医療現場の安全をより高めることが可能である。
【産業上の利用可能性】
【００３１】
本発明の差込接続器用端子構造、抵抗測定システム等によれば、医療機器を初めとする確実な電源供給の必要性の高い機器において、４端子法による高精度の抵抗測定を簡単な操作によって行うことができ、正確な抵抗値測定を容易に行うことができる。しかも、測定精度を高めるだけでなく、医用接地線の抵抗０．１Ω以下を簡単に測定でき、医療現場等における感電に対する安全を確保することができる。たとえば、医療機関、殊に臨床工学・医療機器管理部門等においては、電源ケーブルの正確な断線判定が重要な課題であったが、本発明のケーブル断線チェッカーによれば電源ケーブルの断線の有無を簡単に、かつ性格に判定することができる。本発明は、関連する全産業分野において、産業条理要請が高い発明である。
【符号の説明】
【００３２】
２、３２…アース端子
２Ａ、３２Ａ…アース端子Ａ
２Ｂ、３２Ｂ…アース端子Ｂ
３、３３…絶縁手段
４、５、３４、３５…インレット端子
１０、２１０、３１０、４１０…差込接続器用端子構造
１１、１１０Ｐ、３１１…インレット
２０、２２０…差込接続器
２２、４２…アウトレットアース端子
２２Ａ、４２Ａ…アウトレットアース端子Ａ
２２Ｂ、４２Ｂ…アウトレットアース端子Ｂ
２４、２５、４４、４５…アウトレット端子
１００…抵抗測定システム
１５０…抵抗測定機能部
１８０…測定対象物
１９０Ｑ、１９０Ｓ…測定対象物の端子
１１０Ｒ、２１１、４１１…アウトレット
【００３３】
５２、９２…アウトレットアース端子
５４、５５、９４、９５…アウトレット端子
８２…インレットアース端子
８４、８５…インレット端子
２００…ケーブル
５００…ケーブル断線チェッカー
５１１、９１１…アウトレット
６２０…プラグ
７２０…コネクタ
８１０…インレットの端子構造
８１１…インレット
９１０…アウトレットの端子構造
ＲＸ…測定したい抵抗値
ｒ１、ｒ２、ｒ３、ｒ４，ｒ５、ｒ６、ｒ７、ｒ８…接触抵抗
Ｒ１、Ｒ２、Ｒ３、Ｒ４…リード線の抵抗
【図１】
2016136514.tif 000003
【図１−２】
2016136514.tif 000004
【図２】
2016136514.tif 000005
【図３】
2016136514.tif 000006
【図４】
2016136514.tif 000007
【図５】
2016136514.tif 000008
【図６】
2016136514.tif 000009
【図７】
2016136514.tif 000010
【図８】
2016136514.tif 000011
【図９】
2016136514.tif 000012
【図１０】
2016136514.tif 000013
【図１１】
2016136514.tif 000014
【図１２】
2016136514.tif 000015